(57)【特許請求の範囲】
【請求項１】
着用者の股部に装着される吸収性物品であって、
少なくとも一部の領域が透液性を有する内側シート部材と、防水性を有する外側シート部材と、水分を吸収する吸液性を有し、前記内側シート部材と前記外側シート部材との間に配置される吸収コアとを備え、縦方向に沿った中心線に沿って二つ折りにされたパッド体と、
前記パッド体の前記縦方向の両側の端縁における二つ折りにより互いに重ね合わされる前記中心線を挟んだ左右両側の部分同士を接合する端縁接合部と、
を備え、
前記パッド体の二つ折りにより互いに重ね合わされた横方向の両側の側縁の少なくとも一部において、その両側の側縁同士が互いに離反する方向に開放可能であり、
前記吸収性物品は、
前記パッド体の二つ折りにより互いに重ね合わされる横方向の両側の側縁同士を、開口形成のための一部の区間を除いて接合する側縁接合部をさらに備え、
前記パッド体の前記外側シート部材は、全周において前記内側シート部材よりも大きな外形を有しており、
前記パッド体の二つ折りにより互いに重ね合わされる前記横方向の両側の側縁に形成される開口の前記縦方向に沿った幅は、前記側縁接合部の存在により、前記縦方向の両側の前記端縁接合部の前記縦方向に沿った間隔よりも小さく設定されており、
前記中心線に沿って二つ折りにされた状態の前記パッド体の形状は、前記開口が形成される前記縦方向に沿った辺の寸法が前記横方向に沿った辺の寸法よりも大きい長方形であることを特徴とする吸収性物品。
【請求項２】
請求項１に記載の吸収性物品において、
前記パッド体の前記外側シート部材の外側の面は、不織布によって形成されていることを特徴とする吸収性物品。
【請求項３】
請求項１又は請求項２に記載の吸収性物品において、
二つ折りにする前の前記パッド体の形状は、前記縦方向に沿った寸法が前記横方向に沿った寸法よりも大きい長方形であることを特徴とする吸収性物品。
【発明の詳細な説明】
【技術分野】
【０００１】
本発明は、着用者の股部に装着される吸収性物品に関する。
【背景技術】
【０００２】
大人用使い捨ておむつの使用形態として、以前はおむつを単体で使用することが多かったが、最近ではおむつの内側に尿吸収パッド等の吸収性物品が敷き込まれることが増えてきている。おむつと他の吸収性物品とを併用する目的の一つは、おむつの交換頻度及びコストの抑制である。例えば、尿等の排泄物が比較的少量の場合には、内側の吸収性物品のみを交換すれば、外側のおむつは継続して使用が可能となる。なお、本願においておむつという場合には、テープタイプのおむつとパンツタイプのおむつの両方を含むものとする。
【０００３】
おむつの内側に装着される従来の吸収性物品としては、例えば特許文献１に記載のものがある。しかし、特許文献１に記載のものように単純な平面状の形態ものものでは、尿等の排泄物が内側の吸収性物品の外部に容易に拡散し、外側のおむつ（例えば、おむつの立体ギャザー等）を汚してしまい、外側のおむつも交換しなければならなくなる場合が多い。
【０００４】
また、排泄物を外側のおむつ等に漏らさないために、立体的な複雑な構造を有する吸収性物品が提案されている。しかし、構造が複雑であるため、吸収性物品の製造工程が複雑になり、製造コストが嵩むという問題がある。
【先行技術文献】
【特許文献】
【０００５】
【特許文献１】特開２００８−２３７２３１号公報
【発明の概要】
【発明が解決しようとする課題】
【０００６】
そこで、本発明の解決すべき課題は、構造が簡単で製造が容易でありながら、尿等の排泄物を逃さず確実に保持できる吸収性物品を提供することである。
【課題を解決するための手段】
【０００７】
上記の課題を解決するため、請求項１の発明では、着用者の股部に装着される吸収性物品であって、少なくとも一部の領域が透液性を有する内側シート部材と、防水性を有する外側シート部材と、水分を吸収する吸液性を有し、前記内側シート部材と前記外側シート部材との間に配置される吸収コアとを備え、縦方向に沿った中心線に沿って二つ折りにされたパッド体と、前記パッド体の前記縦方向の両側の端縁における二つ折りにより互いに重ね合わされる前記中心線を挟んだ左右両側の部分同士を接合する端縁接合部とを備え、前記パッド体の二つ折りにより互いに重ね合わされた横方向の両側の側縁の少なくとも一部において、その両側の側縁同士が互いに離反する方向に開放可能であり、前記吸収性物品は、前記パッド体の二つ折りにより互いに重ね合わされる横方向の両側の側縁同士を、開口形成のための一部の区間を除いて接合する側縁接合部をさらに備え、前記パッド体の前記外側シート部材は、全周において前記内側シート部材よりも大きな外形を有しており、前記パッド体の二つ折りにより互いに重ね合わされる前記横方向の両側の側縁に形成される開口の前記縦方向に沿った幅は、前記側縁接合部の存在により、前記縦方向の両側の前記端縁接合部の前記縦方向に沿った間隔よりも小さく設定されており、前記中心線に沿って二つ折りにされた状態の前記パッド体の形状は、前記開口が形成される前記縦方向に沿った辺の寸法が前記横方向に沿った辺の寸法よりも大きい長方形である。
【００１５】
また、請求項２の発明では、請求項１の発明に係る吸収性物品において、前記パッド体の前記外側シート部材の外側の面は、不織布によって形成されている。
また、請求項３の発明では、請求項１又は請求項２の発明に係る吸収性物品において、二つ折りにする前の前記パッド体の形状は、前記縦方向に沿った寸法が前記横方向に沿った寸法よりも大きい長方形である。
【発明の効果】
【００１６】
請求項１に記載の発明に係る吸収性物品では、少なくとも一部の領域が透液性を有する内側シート部材と、防水性を有する外側シート部材と、それらの間に配置された吸収コアとを備えたパッド体が縦方向に沿った中心線に沿って二つ折りにされる。さらに、そのパッド体における縦方向の両側の端縁における二つ折りにより互いに重ね合わされる中心線を挟んだ左右両側の部分同士が端縁接合部により接合されている。しかも、パッド体の二つ折りにより互いに重ね合わされた横方向の両側の側縁の少なくとも一部において、その両側の側縁同士が互いに離反する方向に開放可能となっている。それ故、二つ折りにされたパッド体の中心線を挟んだ左右両側の部分を互いに離反する方向に引き離すようにして、パッド体を変形させることにより、パッド体、すなわち吸収性物品の形態が略舟形になる。この変形に伴い、パッド体の二つ折りにより互いに重ね合わされた横方向の両側の側縁の少なくとも一部において開口部が形成される。この開口部は、略舟形の形態になった吸収性物品の上面側に形成される。このような形態に変形された吸収性物品は、開口部が形成された上面を着用者の肌面側に向けて股部に装着される。そして、この吸収性物品の上から使い捨ておむつ等が装着される。
【００１７】
上記の如く、本発明に係る吸収性物品の装着時の形態を上面側に開口部が形成された略舟形に変形できるため、排泄される尿、便又はその両方を逃さずに確実に保持でき、排泄物により吸収性物品の上から装着されているおむつ等が汚れるのを防止できる。その結果、外側のおむつ等の交換頻度を抑制できる。例えば、開口部が吸収性物品の上面における前側寄りの部分に設けられている場合は、その開口部を介して男性着用者の陰茎（又は性器全体）を吸収性物品内に挿入することができるため、男性着用者の排尿を逃さず確実に保持できる。あるいは、開口部が吸収性物品の上面における後側寄りの部分に設けられている場合は、開口部が着用者の肛門に対向するように吸収性物品を装着することにより、排便を逃さずに確実に保持できる。あるいは、開口部が吸収性物品の上面における前側から後側までの広範囲を網羅するように設けられている場合は、開口部が着用者（例えば、女性着用者）の排尿部位から肛門にかけた部位に対向するように吸収性物品を装着することにより、排尿及び排便を逃さずに確実に保持できる。
【００１８】
また、上記の如く、本発明に係る吸収性物品は簡単な構造を有しているため、容易に製造できる。
【００１９】
また、パッド体の二つ折りにより互いに重ね合わされる横方向の両側の側縁同士が、開口形成のための一部の区間を除いて側縁接合部により接合されている。それ故、例えば、側縁接合部の非接合区間が吸収性物品の前側寄りの部分に設けられている場合は、その非接合区間により形成される開口部を介して男性着用者の陰茎（又は性器全体）を吸収性物品内に挿入することができ、男性着用者の排尿を逃さず確実に保持できる。あるいは、側縁接合部の非接合区間が吸収性物品の後側寄りの部分に設けられている場合は、その非接合区間により形成される開口部が着用者の肛門に対向するように吸収性物品を装着することにより、排便を逃さずに確実に保持できる。
【００２９】
また、パッド体の外側シート部材が、全周において内側シート部材よりも大きな外形を有しているため、外側シート部材の内側シート部材からはみ出した周縁部に、パッド体を二つ折りした際の端縁接合部又は周縁接合部等を設けることができる。外側シート部材は透液性を要求されないため、外側シート部材又は外側シート部材の内面側を、融着（例えば、加熱融着）に適した樹脂フィルム等で形成できる。その結果、二つ折りにされたパッド体の端縁接合部又は周縁接合部等での接合に簡単な接合手法である融着を適用できる。
【００３０】
請求項２に記載の発明に係る吸収性物品によれば、パッド体の外側シート部材の外側の面が不織布によって形成されているため、略舟形の形態に変形された吸収性物品の外面（特に、上面側の外面）の肌触りが向上し、吸収性物品の装着による違和感又は肌への影響を低減できる。
【図面の簡単な説明】
【００３１】
【図１】図１（ａ）は本発明の一実施形態に係る吸収性物品の出荷時の形態を示す図であり、図１（ｂ）は（ａ）の吸収性物品における弱化部が破断された状態を示す図である。
【図２】図２（ａ）は図１（ｂ）の吸収性物品のＡ１−Ａ１線に沿った断面の構成を模式的に示す断面図であり、図２（ｂ）は図１（ｂ）の吸収性物品のＡ２−Ａ２線に沿った断面の構成を模式的に示す断面図である。
【図３】図１（ａ）の吸収性物品を構成するパッド体の二つ折りにされる前の状態を示す図である。
【図４】図３のパッド体のＡ３−Ａ３線に沿った断面の構成を模式的に示す断面図である。
【図５】図３のパッド体の外側シート部材の構成を模式的に示す断面図である。
【図６】図１（ｂ）の吸収性物品を略舟形の形態に変形した状態を示す図である。
【図７】図６の吸収性物品のＡ４−Ａ４線に沿った断面の構成を模式的に示す断面図である。
【図８】図６の吸収性物品が着用者の股部に装着された状態を模式的に示す断面図である。
【図９】図９（ａ）は図１（ａ）の吸収性物品の変形例を示す図であり、図９（ｂ）は（ａ）の吸収性物品における弱化部が破断された状態を示す図である。
【図１０】図９（ｂ）の吸収性物品を略舟形の形態に変形した状態を示す図である。
【図１１】図１０の吸収性物品が着用者の股部に装着された状態を模式的に示す断面図である。
【図１２】図１２（ａ）は図１（ａ）の吸収性物品の参考例を示す図であり、図１２（ｂ）は（ａ）の吸収性物品における弱化部が破断された状態を示す図である。
【図１３】図１２（ｂ）の吸収性物品を略舟形の形態に変形した状態を示す図である。
【図１４】図１３の吸収性物品のＡ５−Ａ５線に沿った断面の構成を模式的に示す断面図である。
【図１５】図１３の吸収性物品が着用者の股部に装着された状態を模式的に示す断面図である。
【図１６】図１（ａ）の吸収性物品のさらに他の変形例を構成するパッド体の構成を示す図である。
【発明を実施するための形態】
【００３２】
本発明の一実施形態に係る吸収性物品について、図１（ａ）、図１（ｂ）、図２（ａ）、図２（ｂ）、及び図３ないし図８を参照して説明する。なお、本明細書において、横方向Ｘは着用者の左右方向に対応しており、縦方向Ｙは着用者の前後又は上下方向に対応している。また、本明細書における前側とは、図１（ａ）、図１（ｂ）、図６上では上側に対応している。
【００３３】
本実施形態に係る吸収性物品１は、図１（ａ）、図１（ｂ）、図２（ａ）及び図２（ｂ）に示すように、二つ折りにされたパッド体１１と、周縁接合部１２と、弱化部１３とを備えて構成され、着用者の股部に装着される。
【００３４】
パッド体１１は、図３及び図４に示すように、少なくとも一部の領域が透液性を有する内側シート部材２１と、防水性を有する外側シート部材２２と、水分を吸収する吸液性を有し、内側シート部材２１と外側シート部材２２との間に配置される吸収コア２３とを備えている。
【００３５】
本実施形態では、内側シート部材２１は、例えば親水性の不織布等により形成され、その全域が透液性を有している。また、外側シート部材２２は、例えば図５に示すように、防水性を有する樹脂フィルム２２１と、その樹脂フィルム２２１の外側に貼り合わされた不織布２２２とを備えている。樹脂フィルム２２１と不織布２２２との接合は、接着剤（例えば、ホットメルト接着剤）又は融着（例えば、加熱融着）によって行われる。なお、樹脂フィルム２２１として、防水性に加えて通気性を有する多孔性樹脂フィルムを用いてもよい。
【００３６】
吸収コア２３は、例えば、パルプ、綿等の繊維が集合されてなる繊維集合体、又は吸収性ポリマーを透液性シートの間に挟み込んで形成された吸収パッド、又はこれらの組み合わせによって構成される。なお、繊維集合体には吸収性ポリマーが添加又は混入される場合がある。また、吸収コア２３に繊維集合体が用いられる場合、繊維集合体をティッシュペーパー等の透液性を有する包装シートにより包んでもよい。
【００３７】
また本実施形態では、内側シート部材２１は全周において吸収コア２３よりも大きな外形を有し、外側シート部材２２は全周において吸収コア２３及び内側シート部材２１よりも大きな外形を有している。また、内側シート部材２１及び外側シート部材２２は、略矩形の外形形状を有している。図３に示す構成では、吸収コア２３も略矩形の外形形状を有している。
【００３８】
そして、吸収コア２３は、その両面が内側シート部材２１及び外側シート部材２２によって完全に覆われるようにして、内側シート部材２１と外側シート部材２２との間に配置される。内側シート部材２１の周縁部２１ａは、その全周において吸収コア２３からはみ出しており、外側シート部材２２と接着剤（例えば、ホットメルト接着剤）又は融着（例えば、加熱融着）により接合されている。外側シート部材２２の周縁部２２ａは、その全周において内側シート部材２１からはみ出しており、後述する周縁接合部１２が設けられる。また、吸収コア２３と外側シート部材２２とは接着剤（例えば、ホットメルト接着剤）によって接合されている。あるいは、吸収コア２３と外側シート部材２２及び内側シート部材２１の両方とは、接着剤（例えば、ホットメルト接着剤）によって接合されている。
【００３９】
このように構成されるパッド体１１は、図３に示される縦方向Ｙに沿った中心線３１に沿って、図１（ａ）及び図２（ｂ）に示すように二つ折りにされる。そして、パッド体１１の周縁が周縁接合部１２により接合される。これにより、二つ折りにされたパッド体１１は略袋状の形態となる。この周縁接合部１２は、パッド体１１の二つ折りにより互いに重ね合わされた周縁同士を接合するものであり、図３に示すように、パッド体１１の外側シート部材２２の周縁部２２ａにおける２つの仮想線によって囲まれた帯状に延びる略四角枠状の領域に設定される。
【００４０】
この周縁接合部１２は、端縁接合部１２ａと側縁接合部１２ｂとを有している。端縁接合部１２ａは、周縁接合部１２に含まれる横方向Ｘに沿って延びる部分であり、パッド体１１の縦方向Ｙの両側の端縁における二つ折りにより互いに重ね合わされる中心線３１を挟んだ左右両側の部分同士を接合する。側縁接合部１２ｂは、周縁接合部１２に含まれる縦方向Ｙに沿って延びる部分であり、パッド体１１の横方向Ｘの両側の側縁同士を接合する。周縁接合部１２での接合には、本実施形態では融着（例えば、加熱融着）が用いられるが、接着剤（例えば、ホットメルト接着剤）を用いてもよい。
【００４１】
弱化部１３は、図１（ａ）に示すように、パッド体１１（本実施形態では、外側シート部材２２）の一部が弱化されることにより設けられ、弱化部１３の破断によりパッド体１１から切り離される切離し部３２を規定する。弱化部１３には、外側シート部材２２に設けられたミシン目、あるいは、外側シート部材２２の肉厚が他の部分よりも薄くされた薄肉部などにより形成され、作業者の手で容易に破断可能となっている。なお、外側シート部材２２（特に、樹脂フィルム２２１）に気密性を有する素材が用いられた場合には、弱化部１３として、破断される前は外側シート部材２２の気密性を損ねない構成を採用してもよい。これにより、弱化部１３が破断されるまで、吸収性物品１におけるパッド体１１の外側シート部材２２の内側を気密な状態に維持できる。
【００４２】
また、弱化部１３は、周縁接合部１２のうちの縦方向Ｙに沿って延びる側縁接合部１２ｂの少なくとも一部を切離し部３２に含むように設けられている。これにより、図１（ｂ）及び図２（ａ）に示すように、弱化部１３の破断に伴って、側縁接合部１２ｂの少なくとも一部が切り離し部３２と共に切除される。これにより、パッド体１１の二つ折りにより互いに重ね合わされた横方向Ｘの両側の側縁の少なくとも一部に開口形成部３３が設けられ、その開口形成部３３にてパッド体１１の側縁同士が互いに離反する方向に開放可能となる。弱化部１３は、二つ折りにされたパッド体１１の周縁を周縁接合部１２により接合した状態で設けてもよいし、パッド体１１を二つ折りにする前に設けてもよい。
【００４３】
図１（ａ）に示す構成では、切離し部３２に、周縁接合部１２の側縁接合部１２ｂのうちの前側寄りの部分を含むように、弱化部１３が設けられている。すなわち、図１（ｂ）に示すように弱化部１３が破断された際に、開口形成部３３が、互いに重ね合わされたパッド体１１の横方向Ｘの両側の側縁の前側寄りの部分に形成される。
【００４４】
なお、本実施形態では、二つ折りにされたパッド体１１に設けられた弱化部１３を破断することにより、開口形成部３３を形成する構成としたが、変形例として、弱化部１３を設けずに、二つ折りにされたパッド体１１に予め開口形成部３３を形成してもよい。この場合、周縁接合部１２の側縁接合部１ｂが、二つ折りにより互いに重ね合わされたパッド体１１の横方向Ｘの両側の側縁において、開口形成部３３を形成するための非接合区間を除くようして設けられる。なお、この周縁接合部１２に非接合区間を設けて予め開口形成部３３を設ける構成は、後述する図９（ａ）に示す構成及び図１２（ａ）に示す構成にも適用できる。
【００４５】
このような構成を有する吸収性物品１は、図１（ａ）に示す形態で工場から出荷される。そして、使用される際に、図１（ｂ）に示すように弱化部１３が破断され、これによって切離し部３２が切り離され、開口形成部３３が形成される。続いて、図６に示すように、二つ折りにされたパッド体１１の中心線３１を挟んだ左右両側の部分を互いに離反する方向に引き離すようにして、パッド体１１を変形させることにより、パッド体１１、すなわち吸収性物品１の形態が略舟形になる。この変形に伴い、開口形成部３３にて、二つ折りにされたパッド体１１の横方向Ｘの両側の側縁が互いに離反する方向に開放され、開口部３４が形成される。この開口部３４は、略舟形の形態になった吸収性物品１の上面側に形成される。
【００４６】
このような形態に変形された吸収性物品１は、図８に示すように、開口部３４が形成された上面を着用者の肌面側に向けて股部に装着される。このとき、図８に示すように、開口部３４を介して男性着用者の陰茎３６（又は性器全体）を吸収性物品１内に挿入する。そして、この吸収性物品１の上から使い捨ておむつ３７等が装着される。
【００４７】
以上のように、本実施形態に係る吸収性物品１によれば、装着時に吸収性物品１の形態を上面側に開口部３４が形成された略舟形に変形できるとともに、その開口部３４を介して吸収性物品１の内部に男性着用者の陰茎３６(又は男性性器全体）を挿入できる。このため、排泄される尿を逃さずに確実に保持でき、排泄された尿により吸収性物品１の上から装着されているおむつ３６等が汚れるのを防止できる。その結果、外側のおむつ３７等の交換頻度を抑制できる。
【００４８】
また、上記の如く、本実施形態に係る吸収性物品１は簡単な構造を有しているため、容易に製造できる。
【００４９】
また、使用時に弱化部１３を破断して開口部３４を形成する構成であるため、吸収性物品１が保存されている際等に、二つ折りされ略袋状の形態を有するパッド体１１の内部に埃又は異物等が浸入するのを防止できる。例えば、パッド体１１の外側シート部材２２に気密性を持たせるとともに、弱化部１３として破断される前の状態は外側シート部材２２の気密性を維持可能な構成を採用した場合には、弱化部１３が破断されるまで、吸収性物品１におけるパッド体１１の外側シート部材２２の内側を気密な状態に維持できる。これによって、例えば保存時等に吸収コア２３に含まれる吸収性ポリマー等が湿気により劣化するのを防止できる。
【００５０】
また、パッド体１１の外側シート部材２２が、全周において内側シート部材２１よりも大きな外形を有しているため、外側シート部材２２の内側シート部材２１からはみ出した周縁部２２ａに、パッド体１１を二つ折りした際の周縁接合部１２を設けることができる。外側シート部材２１は透液性を要求されないため、外側シート部材２２（特に、内側の樹脂フィルム２２１）を、融着（例えば、加熱融着）に適した樹脂フィルム等で形成できる。その結果、二つ折りにされたパッド体１１の周縁接合部１２での接合に簡単な接合手法である融着を適用できる。
【００５１】
また、パッド体１１の外側シート部材２２の外側の面が不織布２２２によって形成されているため、略舟形の形態に変形された吸収性物品１の外面（特に、上面側の外面）の肌触りが向上し、吸収性物品１の装着による違和感又は肌への影響を低減できる。
【００５２】
次に、図９（ａ）、図９（ｂ）ないし図１６を参照し、上述の吸収性物品１の変形例及び参考例について説明する。吸収性物品１の図９（ａ）に示す変形例では、切離し部３２に、周縁接合部１２の側縁接合部１２ｂのうちの後側寄りの部分を含むように、弱化部１３が設けられている。すなわち、図９（ｂ）に示すように弱化部１３が破断されて切離し部３２が切り離された際に、開口形成部３３が、互いに重ね合わされたパッド体１１の横方向Ｘの両側の側縁の後側寄りの部分に形成される。それ故、図１０に示すように吸収性物品１が略舟形の形態に変形された際に、開口形成部３３によって、吸収性物品１の上面における後側寄りに開口部３４が形成される。このため、図１１に示すように、その開口部３４が着用者の肛門３８に対向するように吸収性物品１を装着することにより、排便を逃さずに確実に保持できる。
【００５３】
図１２（ａ）に示す参考例では、切離し部３２に、周縁接合部１２の側縁接合部１２ｂの略全体を含むように、弱化部１３が設けられている。すなわち、図１２（ｂ）に示すように弱化部１３が破断されて切離し部３２が切り離された際に、開口形成部３３が、互いに重ね合わされたパッド体１１の横方向Ｘの両側の側縁の略全域に形成される。それ故、図１３及び図１４に示すように吸収性物品１が略舟形の形態に変形された際に、開口形成部３３によって、吸収性物品１の上面における前側端部から後側端部の略全域に形成される。このため、図１５に示すように、その開口部３４が着用者（例えば、女性着用者）の排尿部位３９から肛門４０にかけた部位に対向するように吸収性物品１を装着することに
より、排尿及び排便を逃さずに確実に保持できる。なお、図１２（ａ）に示す構成では、切離し部３２により側縁接合部１２ｂの全体を切除するように弱化部１３を設けたが、側縁接合部１２の前側端部、後側端部、又は前側端部と後側端部との両方を切除せずに残すように弱化部１３を設けてもよい。
【００５４】
図１６に示す変形例では、パッド体１１の吸収コア２３の縦方向Ｙに沿った全区間のうちの一部の区間において、吸収コア２３が横方向Ｘの内方に張り出す弱化部１３と干渉しないように、吸収コア２３の横方向Ｘに沿った幅が小さくされた縮幅部２３ａが設けられている。これにより、弱化部１３が吸収コア２３と干渉するとなく、開口部３４の位置、形状又はサイズ等に関する選択の自由度を拡大できる。
【符号の説明】
【００５５】
１  吸収性物品、１１  パッド体、１２  周縁接合部、１２ａ  端縁接合部、１２ｂ  側縁接合部、１３  弱化部、２１  内側シート部材、２２  外側シート部材、２２１  樹脂フィルム、２２２  不織布、２３  吸収コア、２３ａ  縮幅部、３１  中心線、３２  切離し部、３３  開口形成部、３４  開口部、３７  使い捨ておむつ、Ｘ  横方向、Ｙ  縦方向。
【図１】
0005542497.tif 000002
【図２】
0005542497.tif 000003
【図３】
0005542497.tif 000004
【図４】
0005542497.tif 000005
【図５】
0005542497.tif 000006
【図６】
0005542497.tif 000007
【図７】
0005542497.tif 000008
【図８】
0005542497.tif 000009
【図９】
0005542497.tif 000010
【図１０】
0005542497.tif 000011
【図１１】
0005542497.tif 000012
【図１２】
0005542497.tif 000013
【図１３】
0005542497.tif 000014
【図１４】
0005542497.tif 000015
【図１５】
0005542497.tif 000016
【図１６】
0005542497.tif 000017